(57)【特許請求の範囲】
【請求項１】
複数のプログラムに共通して適用される特定のプログラムの状態を表示するデータ処理装置の表示方法において、
特定のプログラムの処理状態を大表示領域内に一覧表示するウィンドウと、上記複数のプログラムの内の一つのプログラムのウィンドウが選択されると該一のプログラムに適用されている特定のプログラムの機能の状態を象徴して小表示領域として表示するアイコンとを切り替え可能とし、
上記複数のプログラムの内の他のプログラムのウィンドウが選択されると該他のプログラムに適用されている特定のプログラムの機能の状態を象徴した表示に小表示領域の表示を切り替えるデータ処理装置の表示方法。
【請求項２】
上記特定のプログラムの機能の状態は日本語かな漢字変換入力プログラムにおける複数の入力モードであることを特徴とする請求項１記載のデータ処理装置の表示方法。
【請求項３】
上記小表示領域は文字、色又は柄のうち少なくともいずれか一つを変化させることにより視覚的に判別可能である選択状態を表示することを特徴とする請求項１記載のデータ処理装置の表示方法。
【請求項４】
入力操作手段と、
複数のプログラムの実行に応じて複数のウィンドウを表示すると共に複数のプログラムに共通して適用される特定のプログラムの状態を表示する表示手段とを備え、
上記入力操作手段による操作に応じて特定のプログラムの処理状態を大表示領域内に一覧表示するウィンドウと、上記複数のプログラムの内の一つのプログラムのウィンドウが選択されると該一のプログラムに適用されている特定のプログラムの機能の状態を象徴して小表示領域として表示するアイコンとを上記表示手段中で切り替え可能とし、
上記複数のプログラムの内の他のプログラムのウィンドウが選択されると該他のプログラムに適用されている特定のプログラムの機能の状態を象徴した表示に小表示領域の表示を上記表示手段中で切り替える
ことを特徴とするデータ処理装置。
【請求項５】
上記特定のプログラムの機能の状態は日本語かな漢字変換入力プログラムにおける複数の入力モードであることを特徴とする請求項４記載のデータ処理装置。
【請求項６】
上記小表示領域は文字、色又は柄のうち少なくともいずれか一つを変化させることにより視覚的に判別可能である選択状態を表示することを特徴とする請求項４記載のデータ処理装置。
【発明の詳細な説明】
【０００１】
【産業上の利用分野】
本発明は、複数のプログラムに共通して適用される機能を実行する特定のプログラムの状態を表示するデータ処理装置の表示方法及びデータ処理装置に関する。
【０００２】
【従来の技術】
最近、ネットワーク機能を持つ高機能小型コンピュータであるワークステーション（Workstation)やパーソナルコンピュータの多くでは、複数のアプリケーション・プログラムをマルチウィンドウ（Multi Window) 表示し、順次切り替えて実行することができるようなウィンドウシステムが用いられるようになった。ここでいうマルチウィンドウ表示とは、１つの画面を分割し、あたかも独立したいくつかの画面があるかのように見せる表示方法である。画面を上下２つに分割するだけの簡単なものから、画面の好きなところへ、好きな大きさで重ねながら表示できるマルチウィンドウまである。
【０００３】
上記ウィンドウシステムを用いて複数のアプリケーション・プログラムを実行し、処理を進めていくと、画面がウィンドウだらけになってしまうことがある。このため、アプリケーションの機能やファイルの内容を象徴化（シンボル化）し、分かりやすく表したアイコン（Icon) が用いられている。ウィンドウのいくつかをアイコンにすることによって、雑然とした画面を整理することができる。また、コンピュータにある処理をさせたいときに、英数文字や記号をキーボードからひとつひとつ打ち込んで指示する変わりに、ユーザは画面に表示されたアイコンを選択することで直感的な操作を行うことができる。
【０００４】
【発明が解決しようとする課題】
ところで、上記ワークステーションやパーソナルコンピュータで稼働している上記ウィンドウシステムにおいて、任意のウィンドウで例えば日本語かな漢字変換入力プログラムを用いて日本語を入力しようとする場合、該日本語かな漢字変換の過程における状態を表示するための専用の領域を設けるのが一般的である。この場合、日本語かな漢字変換入力を必要とするウィンドウが多くなると画面には上記状態を表示する領域が増えてしまう。このため、状態表示を１つの領域で管理することが考えられる。しかし、この状態表示用の領域もデータ処理装置の操作性を妨げることがある。
【０００５】
そこで、本発明は上記実情に鑑みてなされたものであり、データ処理装置の操作性を妨げることがなく、逆に操作性を向上するようなデータ処理装置の表示方法及びデータ処理装置の提供を目的とする。
【０００６】
【課題を解決するための手段】
本発明に係るデータ処理装置の表示方法は、上記課題を解決するために、複数のプログラムに共通して適用される特定のプログラムの状態を表示するデータ処理装置の表示方法において、特定のプログラムの処理状態を大表示領域内に一覧表示するウィンドウと、上記複数のプログラムの内の一つのプログラムのウィンドウが選択されると該一のプログラムに適用されている特定のプログラムの機能の状態を象徴して小表示領域として表示するアイコンとを切り替え可能とし、上記複数のプログラムの内の他のプログラムのウィンドウが選択されると該他のプログラムに適用されている特定のプログラムの機能の状態を象徴した表示に小表示領域の表示を切り替える。
【０００７】
本発明のデータ処理装置の表示方法において、上記特定のプログラムの機能の状態は日本語かな漢字変換入力プログラムにおける複数の入力モードである。また、上記小表示領域は文字、色又は柄のうち少なくともいずれか一つを変化させることにより視覚的に判別可能である選択状態を表示する。
【０００８】
本発明に係るデータ処理装置は、上記課題を解決するために、入力操作手段と、複数のプログラムの実行に応じて複数のウィンドウを表示すると共に複数のプログラムに共通して適用される特定のプログラムの状態を表示する表示手段とを備え、上記入力操作手段による操作に応じて特定のプログラムの処理状態を大表示領域内に一覧表示するウィンドウと、上記複数のプログラムの内の一つのプログラムのウィンドウが選択されると該一のプログラムに適用されている特定のプログラムの機能の状態を象徴して小表示領域として表示するアイコンとを上記表示手段中で切り替え可能とし、上記複数のプログラムの内の他のプログラムのウィンドウが選択されると該他のプログラムに適用されている特定のプログラムの機能の状態を象徴した表示に小表示領域の表示を上記表示手段中で切り替える。
【０００９】
本発明のデータ処理装置において、上記特定のプログラムの機能の状態は日本語かな漢字変換入力プログラムにおける複数の入力モードである。また、上記小表示領域は文字、色又は柄のうち少なくともいずれか一つを変化させることにより視覚的に判別可能である選択状態を表示する。
【００１６】
【作用】
本発明のデータ処理装置の表示方法によれば、特定のプログラムの処理状態を大表示領域内に一覧表示するウィンドウと、複数のプログラムの内の一つのプログラムのウィンドウが選択されると該一のプログラムに適用されている特定のプログラムの機能の状態を象徴して小表示領域として表示するアイコンとを切り替え可能とし、複数のプログラムの内の他のプログラムのウィンドウが選択されると該他のプログラムに適用されている特定のプログラムの機能の状態を象徴した表示に小表示領域の表示を切り替える。
【００１７】
本発明のデータ処理装置によれば、入力操作手段による操作に応じて特定のプログラムの処理状態を大表示領域内に一覧表示するウィンドウと、複数のプログラムの内の一つのプログラムのウィンドウが選択されると該一のプログラムに適用されている特定のプログラムの機能の状態を象徴して小表示領域として表示するアイコンとを上記表示手段中で切り替え可能とし、複数のプログラムの内の他のプログラムのウィンドウが選択されると該他のプログラムに適用されている特定のプログラムの機能の状態を象徴した表示に小表示領域の表示を上記表示手段中で切り替える。
【００２２】
【実施例】
以下、本発明の実施例について説明する。先ず、本発明に係るデータ処理装置の表示方法及びデータ処理装置の第１の実施例を説明する。この第１の実施例は、ウィンドウシステム上で実行される複数のアプリケーション・プログラムに共通して使用される例えば日本語かな漢字変換入力プログラムの複数の状態を大表示領域内に一覧表示するウィンドウと、このウィンドウを象徴化し小表示領域として表示するアイコンとを切り換え可能とし、このアイコンには上記ウィンドウ内の複数の状態の内の現在選択されている状態（入力モード）を文字、色又は柄のうち少なくともいずれか一つ対応させて表示する表示方法に基づいている。
【００２３】
上記第１の実施例は、複数のアプリケーション・プログラムをマルチウィンドウ表示し、順次切り替えて実行できるウィンドウシステムに適用することができる。このウィンドウシステムは、図１に示すように画面１１を有するディスプレイ１０と、キーボード１２及びマウス１３との間の入出力を制御するサーバ１４と、ウィンドウ内で動作するアプリケーション・プログラムであるクライアント１５、１６及び１７からなる。図１のウィンドウシステムでは、一つのサーバ１４と３つのクライアント１５、１６及び１７とを接続して動作させることができる。このクライアント１５、１６及び１７は、ネットワーク上に置いた他のコンピュータ（ワークステーションや汎用コンピュータ）で動作しているものでもよい。
【００２４】
図１において、ディスプレイ１０の画面１１には、アプリケーション・プログラムＡＰ１ 、ＡＰ２ 及びＡＰ３ によるアプリケーションウィンドウ１８、１９及び２０が表示される。
【００２５】
これら３つのアプリケーション・プログラムＡＰ１ 、ＡＰ２ 及びＡＰ３ で日本語かな漢字変換入力を行う場合は、入力モードの状態表示を１つの領域で管理することを考慮して、上記３つのアプリケーション・プログラムに共通に使用できる日本語かな漢字変換入力プログラムを用いる。第１の実施例は、このような日本語かな漢字変換入力プログラムを基に上記３つのアプリケーション・プログラムＡＰ１ 、ＡＰ２ 及びＡＰ３ で日本語かな漢字変換を行う場合に適用される。
【００２６】
ここで、アプリケーション・プログラムＡＰ１ で日本語かな漢字変換入力プログラムを使用して日本語かな漢字変換を行うときには、画面１１の例えば中央下に例えば図２に示すような日本語かな漢字変換入力プログラム用のウィンドウ（以下、これをルートウィンドウという）２１が表示される。このルートウィンドウ２１は、ガイドライン部２２と、このガイドライン部２２のなかにある入力モード表示部２３と、ファンクション部２４ａ及び２４ｂと、変換領域２５と、タイトル表示部２６と、最小化ボタン２７とからなる。図２の例は、タイトル表示部２６に「日本語入力」と表示され、変換領域２５に「きょうはいしゃにいった」と入力されている。上記ファンクション部２４ａには、「登録」、「削除」、「修正」及び「表」という状態表示の選択肢があり、ファンクション部２４ｂには、「コード」、「半ア」、「全ア」、「半カ」、「全カ」及び「かな」という状態表示の選択肢がある。上記ファンクション部２４ａの各選択肢は、日本語かな漢字変換入力プログラムが実行されたときの途中の処理の選択に関するものであり、本実施例ではアイコンに変換しない。一方、上記ファンクション部２４ｂの各選択肢は、日本語かな漢字変換入力プログラムが実行されたときの入力の選択に関するものであり、アイコンに変換して象徴化して表示する。上記変換領域２５では、ファンクション部２４ｂによって選択された選択肢による入力が行われ、そしてかな漢字に変換される。この変換領域２５の他にもアプリケーションウィンドウ１８、１９及び２０でも文字の入力、変換ができる（以下この変換をその場変換という）。入力モード表示部２３は「ひらがな入力モード」であることを示している。ファンクション部２４ａ及び２４ｂはキーボード１２のファンクションキー（Ｆ１〜Ｆ10) に割当られている。また、このファンクション部２４ａ及び２４ｂは、マウス１３により機能を選択することもできる。このマウス１３を使って選択する場合はマウス１３をスライドさせ使用したいファンクションの位置にポインタ２８を移動しクリックする。また、マウス１３をスライドさせポインタ２８を最小化ボタン２７の上に位置付けてクリックするとルートウィンドウ２１は画面１１の左下に示すアイコン２９に切り換わる。本実施例では、上記ルートウィンドウ２１を象徴化したアイコン２９上で文字、色又は柄の少なくともいずれか一つを変化させることにより上記ファンクション部２４ｂで選択された日本語かな漢字変換入力に関する状態を視覚的に判別可能とする。
【００２７】
図３のＡは、画面１１上にアプリケーションＡＰ１ のアプリケーションウィンドウ１８とルートウィンドウ２１を示した図である。上述したようにルートウィンドウ２１の最小化ボタン２７をマウス１３を使って押すと上記ルートウィンドウ２１は、図３のＢの右下に示すようなアイコン２９に変換される。このアイコン２９は、例えば図４に示すようなイメージで表示される。具体的には、ルートウィンドウ２１のファンクション部２４ｂの内「かな」をキーボード１２又はマウス１３で選択し、さらにマウス１３で最小化ボタン２７をクリックするとアイコン２９は、図４に示すNO.2のようなイメージとなる。また、ファンクション部２４ｂの「半カ」を選択し、最小化ボタン２７をクリックすればNO.4がアイコン２９のイメージとなる。
【００２８】
次に、この第１の実施例の動作を図５のフローチャートを用いて説明する。このフローチャートが開始されると先ず、ステップＳ１では、無変換状態とし、図４に示すアイコンイメージNO.1をアイコン２９として画面１１に表示する。これは、上記ルートウィンドウ２１でファンクションが何も選択されない状態で最小化ボタン２７がマウス１３によりクリックされた状態である。
【００２９】
ステップＳ２では、キーボード１２上の図示しない変換開始キーが押されたか否かを判別する。ＮＯを判別するとステップＳ１のアイコンイメージNO.1を表示したままである。一方、ＹＥＳを判別するとステップＳ３に進む。
【００３０】
ステップＳ３では、このフローが開始される前の状態に対応するアイコン（アイコンイメージNO.2〜NO.9の内の一) を表示する。
【００３１】
ステップＳ４では、ファンクション部２４ｂの選択肢に該当する入力モード切り換えキーが押されたか否かを判別する。ここでＹＥＳを判別するとステップＳ５に進む。一方、ＮＯを判別するとステップＳ６に進む。
【００３２】
ステップＳ５では、ステップＳ４で押された入力キーが「全角かな」キーか否かを判別する。ここで、ＹＥＳを判別するとステップＳ７に進む。一方、ＮＯを判別するとステップＳ８に進む。
【００３３】
ステップＳ７では、ステップＳ５での判別結果を受けてアイコンイメージNO.2を表示する。
【００３４】
ステップＳ８では、上記ステップＳ４で押された入力キーが「全角カタカナ」キーか否かを判別する。ここで、ＹＥＳを判別するとステップＳ９に進む。一方、ＮＯを判別すると次の文字種類の候補（以下、順番に「半角カタカナ」、「全角アルファベット」、「半角アルファベット」、「ＪＩＳ」）に進む。
【００３５】
ステップＳ９では、ステップＳ８での判別結果を受けてアイコンイメージNO.3を表示する。
【００３６】
上記ステップＳ８でＮＯを判別し、次の文字種類の候補に進むとそれぞれの文字種類の候補「半角カタカナ」、「全角アルファベット」、「半角アルファベット」、「ＪＩＳ」毎がステップＳ４で押された入力モード切り換えキーであるか否かを判別し、ＹＥＳを判別すれば該当するアイコンイメージNO.4、NO.5、NO.6、NO.7を表示する。一方、ＮＯを判別すると次の文字候補を判別する。最終的には、ステップ１０で「Ｓ（シフト）ＪＩＳ」が押されたか否かを判別し、ＹＥＳを判別すればステップＳ１１に進みアイコンイメージNO.8を表示する。一方、ＮＯを判別するとステップＳ１２に進みアイコンイメージNO.9を表示する。
【００３７】
上記ステップＳ４でＮＯを判別するとファンクション部２４ａのその他の処理を行う。
【００３８】
このように第１の実施例では、日本語かな漢字変換入力プログラムの複数の入力モードにおける状態表示をルートウィンドウ２１からアイコン２９に変換できるため、その場変換を行うときのようにルートウィンドウ２１を必要としない場合は、ディスプレイ１０の画面１１を有効に使用することができる。また、日本語入力の状態に応じてアイコン２９上のイメージを文字、色又は柄のうち少なくともいずれか一つを変化させて表示することで現在の入力モードを容易に確認することができる。
【００３９】
次に、本発明に係るデータ処理装置の表示方法及びデータ処理装置の第２の実施例を説明する。この第２の実施例は、例えば日本語かな漢字変換入力プログラムの複数の状態を一覧表示するメニューと、このメニューを開くためにマウス等で選択されるタイトルとを切り換え可能とし、このタイトル内に上記メニュー内の複数の状態の内の現在選択されている状態（入力モード）に応じて文字、色
又は柄のうち少なくともいずれか一つを変換させ表示する表示方法である。
【００４０】
この第２の実施例は、必要に応じて巻物を引き下げるようにして開かれるプルダウン・メニュー等に適用される。すなわち、タイトルが選択されて一旦開かれたプルダウン・メニューの状態をこのメニューが閉じられてもタイトルの一部に表示される方法である。
【００４１】
図６は、上記日本語かな漢字変換入力を行うときに上記第２の実施例を用いた場合を説明するための模式図である。図６のＡにおいて、画面３０の上部には、タイトル３１、３２等が表示されるタイトル表示部３３が設けられている。ここで、「日本語入力」と表示されたタイトル３１をマウス等でクリックすると該タイトル３１は、図６のＢに示すように例えば反転し、その下部にプルダウン・メニューウィンドウ３４が開かれる。このプルダウン・メニューウィンドウ３４から例えば「かな」を選べば全角ひらがな文字で入力を始められる。もし、入力をする領域がこのプルダウン・メニューウィンドウ３４によって隠れているのであれば、マウス等を用い所定の操作でこのプルダウン・メニューウィンドウ３４を閉じればよい。図６のＣは、上記プルダウン・メニューウィンドウ３４を閉じた状態であるが、本第２の実施例では、閉じてしまったプルダウン・メニューウィンドウ３４で選択した状態をタイトル３１の上部３１ａに表示する。図６のＣでは、このタイトル３１の上部３１ａには、「かな」と表示されている。
【００４２】
このように上記タイトル３１の上部３１ａには、プルダウン・メニューウィンドウ３４で選択された状態が表示される。したがって、上記プルダウン・メニューウィンドウ３４を閉じても現在選択した状態をタイトル３１を見ることにより簡単に確認することができる。これは、画面３０を広く使いたいようなときに有効である。また、タイトル３１上の上部３１ａのイメージの文字、色又は柄のうち少なくともいずれか一つを変化させることで現在の入力モードを容易に確認することができる。
【００４３】
次に、本発明に係るデータ処理装置の表示方法及びデータ処理装置の第３の実施例を説明する。この第３の実施例は、ウィンドウシステム上で実行される複数のアプリケーション・プログラムに共通して使用される例えば日本語かな漢字変換用辞書の複数の処理状態を大表示領域内に一覧表示するウィンドウと、このウィンドウを象徴化し小表示領域として表示するアイコンとを切り換え可能とし、このアイコンには上記ウィンドウ内の複数の状態の内の現在選択されている状態（入力モード）に応じて文字、色又は柄のうち少なくともいずれか一つを変化させ表示する表示方法である。
【００４４】
図７は、日本語かな漢字変換用辞書の複数の処理状態の内の登録状態を示す単語登録ウィンドウを用いて本第３の実施例を説明するための図である。この図７において、画面４０には、アプリケーション・ウィンドウ４１、４２及び４３が表示されている。ここで、アプリケーション・ウィンドウ４１で日本語かな漢字変換用辞書登録を行うときには、画面４０の中央下に例えば、図８に示すような単語登録ウィンドウ４４が表示される。
【００４５】
この単語登録ウィンドウ４４は、漢字表示部４６と、この漢字表示部４６に表示された漢字の読みがな（ユーザの都合に合わせた読みがなも含む）を表示する読みがな表示部４７と、この単語の品詞を表示する品詞表示部４８と、単語登録を終了させるかあるいは取り消すかをマウスを用いて指示する指示部４９とからなる。
【００４６】
本第３の実施例は、上記単語登録ウィンドウ４４を図７に示したアイコン４５に切り換え可能とするものであるが、具体的な一連の流れとしては、先ず、アプリケーション・ウィンドウ４１のインライン上に（その場入力）上述した日本語かな漢字変換入力プログラムを用いて例えば「かな」入力を行い、それを漢字に変換する。変換された漢字の文節を指定した後、キーボード又はマウスを用いて単語登録ウィンドウ４４を開かせる。開いた単語登録ウィンドウ４４の中の漢字表示部４６に登録する文節を指定し、読みがな表示部４７に読みがなを入力し、品詞表示部４８上に登録する単語の品詞を選択する。そして、指示部４９の登録ボタンをクリックすればこの一連の単語登録は終了となり、上記単語登録ウィンドウ４４は閉じることになる。このとき、所定の操作を行うことにより、アイコン４５を上記単語登録ウィンドウ４４に換えて画面４０上の任意の場所に表示させるのが本第３の実施例である。図８には、本第３の実施例で用いられるアイコンのイメージを示す。
【００４７】
このように、日本語かな漢字変換用辞書の複数の処理の表示を図７の単語登録ウィンドウ４４や図示しない単語削除ウィンドウから図９に示すようなイメージのアイコン４５に変換できるため、画面４０を有効に使用することができる。また、日本語かな漢字変換用辞書の複数の登録状態に応じてアイコン４５上のイメージを文字、色又は柄のうち少なくともいずれか一つを変化させることにより換えることで現在の処理状態を容易に確認することができる。
【００４８】
なお、本発明に係るデータ処理装置の表示方法及びデータ処理装置は、上記実施例にのみ適用が限定されるものではないことはいうまでもなく、たとえば、特定のプログラムとしては、上記日本語かな漢字変換入力プログラム、日本語かな漢字変換用辞書プログラムのみではなく、例えば英語変換入力プログラム等も考えられる。
【００４９】
また、例えば図１に示すようなクライアント１５、１６及び１７のアプリケーション・プログラムＡＰ１ 、ＡＰ２ 及びＡＰ３ 毎のアプリケーションウィンドウ１８、１９及び２０毎に色を設定し、それらの色と上記プルダウンメニュー又はポップアップメニューを表すタイトルの色を一致させれば画面上での作業がしやすくなる。
【００５０】
【発明の効果】
本発明によれば、例えば日本語かな漢字変換入力プログラムを必要とする各ウィンドウ毎に状態表示領域をとる必要がなくなる。また、アイコンを利用することにより、選択された機能の状態を表示するための画面占有領域が小さくなる。したがって、データ処理装置の表示部を有効に使うことができ、データ処理装置の操作をしやすくする。
【図面の簡単な説明】
【図１】本発明に係るデータ処理装置の表示方法の第１の実施例を適用したウィンドウシステムの概略構成図である。
【図２】本発明に係るデータ処理装置の表示方法の第１の実施例に用いるルートウィンドウの構成図である。
【図３】本発明に係るデータ処理装置の表示方法の第１の実施例の動作を説明するための図である。
【図４】アイコンイメージを示す図である。
【図５】本発明に係るデータ処理装置の表示方法の第１の実施例を説明するためのフローチャートである。
【図６】本発明に係るデータ処理装置の表示方法の第２の実施例を説明するための図である。
【図７】本発明に係るデータ処理装置の表示方法の第３の実施例を説明するための図である。
【図８】単語登録ウィンドウを説明するための図である。
【図９】本発明に係るデータ処理装置の表示方法の第３の実施例に用いることのできるアイコンのイメージを示す図である。
【符号の説明】
１０  ディスプレイ、１１  画面、１３  マウス、２１  ルートウィンドウ、２８  ポインタ、２９  アイコン
【図１】
0003830538.tif 000002
【図２】
0003830538.tif 000003
【図３】
0003830538.tif 000004
【図４】
0003830538.tif 000005
【図５】
0003830538.tif 000006
【図６】
0003830538.tif 000007
【図７】
0003830538.tif 000008
【図８】
0003830538.tif 000009
【図９】
0003830538.tif 000010